(57)【要約】【課題】リーダーピンを常時安定して保持することができる記録テープカートリッジの提供を課題とする。【解決手段】記録テープＴが巻装された単一のリール１４を回転可能に収容するケース１２と、ケース１２に形成され、記録テープＴの端部に取り付けられたリーダーピン２２を引き出すための開口２０と、開口２０の近傍でリーダーピン２２を保持するピン保持部２４と、基部２５Ａがケース１２に固定され、自由端２５Ｃ側でリーダーピン２２を押さえてピン保持部２４に保持する係止ばね２５と、を備えた記録テープカートリッジ１０において、係止ばね２５の基部２５Ａと自由端２５Ｃの間に位置して、係止ばね２５の支点となる突起４８を、ケース１２に設ける。【選択図】　　　図３
2004047057.tif 000002
【特許請求の範囲】
【請求項１】
記録テープが巻装された単一のリールを回転可能に収容するケースと、
前記ケースに形成され、前記記録テープの端部に取り付けられたリーダーピンを引き出すための開口と、
前記開口の近傍で前記リーダーピンを保持するピン保持部と、
基部が前記ケースに固定され、自由端側で前記リーダーピンを押さえて前記ピン保持部に保持する係止ばねと、
を備えた記録テープカートリッジにおいて、
前記係止ばねの基部と自由端の間に位置して、該係止ばねの支点となる突起を、前記ケースに設けたことを特徴とする記録テープカートリッジ。
【発明の詳細な説明】
【０００１】
【発明の属する技術分野】
本発明は、主にコンピューター等の記録再生媒体として使用される磁気テープ等の記録テープが巻装された単一のリールをケース内に収容してなる記録テープカートリッジに関する。
【０００２】
【従来の技術】
従来から、コンピューター等のデータ記録再生媒体として使用されている磁気テープを単一のリールに巻装し、そのリールをケース内に収容してなる磁気テープカートリッジが知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開口から露出しているリールの下面中央にはリールギアが環状に刻設されており、ドライブ装置側の回転シャフトに設けられた駆動ギアがそのリールギアに噛合することにより、リールが回転駆動するように構成されている。したがって、磁気テープカートリッジのリール及びドライブ装置の巻取リールを同期して回転させることにより、磁気テープにデータを記録したり、磁気テープに記録されたデータの再生ができる。
【０００４】
このような磁気テープカートリッジは、保存時の収容スペースが小さくて済むとともに大容量の情報を記録でき、リーダー部材のタイプ毎に、開口位置及びその開口を開閉するドアのタイプが異なっている。例えば、図１１で示すように、リール７４に巻装された磁気テープＴの端部にリーダーピン６０が取り付けられた磁気テープカートリッジの場合は、ケース６２の側壁６４にリーダーピン６０引き出し用の開口６８が形成されており、ドライブ装置への装填方向（矢印Ｐ方向）と逆方向にスライド移動するドア６６によって、その開口６８が開閉されるようになっている。
【０００５】
また、ケース６２の開口６８の内側には、不使用時にリーダーピン６０を保持する上下一対のピン保持部７０が設けられている。このピン保持部７０は、リーダーピン６０が出入できるように一部が開放された平面視略半円形状の凹部になっており、その凹部（ピン保持部７０）内に直立状態のリーダーピン６０の両端部が挿入される。そして、ピン保持部７０の近傍には係止ばね７２が配置され、この係止ばね７２がリーダーピン６０の上下端をそれぞれピン保持部７０内側へ押圧することにより、リーダーピン６０がピン保持部７０から脱落しないようにしている。
【０００６】
したがって、リーダーピン６０がピン保持部７０内に出入する際には、その係止ばね７２が適宜弾性変形してリーダーピン６０の移動を許容するようになっており、従来、この係止ばね７２のリーダーピン６０に対する押圧力（弾力）の調整は、係止ばね７２自体の弾力を調整することによって行われていた。すなわち、係止ばね７２の厚さや長さ及び折曲角度に依存していた（例えば、特許文献１参照）。
【０００７】
【特許文献１】
特開２０００−２６０１５６公報
【０００８】
【発明が解決しようとする課題】
しかしながら、このように、リーダーピンに対する係止ばねの押圧力（弾力）の調整を、係止ばね自体の弾力を調整することでしか行えないようになっていると、係止ばねには、使用頻度によってばね疲労が発生してくるので、係止ばねのリーダーピンを押さえる力が変化してきてしまうことがあり、リーダーピンを安定して保持できなくなるという問題が発生するおそれがある。
【０００９】
そこで、本発明は、使用頻度に拘わらず、リーダーピンを常時安定して保持することができる記録テープカートリッジを得ることを目的とする。
【００１０】
【課題を解決するための手段】
上記の目的を達成するために、本発明に係る請求項１に記載の記録テープカートリッジは、記録テープが巻装された単一のリールを回転可能に収容するケースと、前記ケースに形成され、前記記録テープの端部に取り付けられたリーダーピンを引き出すための開口と、前記開口の近傍で前記リーダーピンを保持するピン保持部と、基部が前記ケースに固定され、自由端側で前記リーダーピンを押さえて前記ピン保持部に保持する係止ばねと、を備えた記録テープカートリッジにおいて、前記係止ばねの基部と自由端の間に位置して、該係止ばねの支点となる突起を、前記ケースに設けたことを特徴としている。
【００１１】
請求項１の発明では、基部と自由端との間のケースに配設された突起により、係止ばねのリーダーピンを押さえる弾力が調整される。したがって、係止ばね自体でその弾力を調整するのに比べ、常に、より安定した状態でリーダーピンを保持することができる。
【００１２】
【発明の実施の形態】
以下、本発明の実施の形態に係る記録テープカートリッジ１０を図面に基づいて説明する。まず、最初に、記録テープカートリッジ１０の全体構成を簡単に説明し、次いで本発明に係る要部について詳細に説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向とする。
【００１３】
図１、図２で示すように、記録テープカートリッジ１０は、平面視略矩形状のケース１２内に、情報記録再生媒体である記録テープとしての磁気テープＴを巻装した単一のリール１４を回転可能に収容して構成されている。ケース１２は、ドライブ装置への装填方向先頭側の１つの角部である右前角部が平面視でそれぞれ斜めに切り欠かれた一対の上ケース１６と下ケース１８とを互いの周壁１６Ａ、１８Ａを突き合せて接合することで構成されており、内部に磁気テープＴを巻装したリール１４の収容空間が設けられている。
【００１４】
そして、その周壁１６Ａ、１８Ａの切り取られた角部が磁気テープＴを引き出すための開口２０とされており、この開口２０から引き出される磁気テープＴの自由端には、ドライブ装置の引出手段によって引き出し操作されるリーダーピン２２が接続されている。なお、リーダーピン２２の磁気テープＴの幅方向端部より突出した両端部には、環状溝２２Ａが形成されており、この環状溝２２Ａが引出手段のフック等に係止されることにより、磁気テープＴを引き出す際に、そのフック等が磁気テープＴに接触して傷付けないようになっている。
【００１５】
また、下ケース１８の中央部には、リール１４の図示しないリールギアを外部に露出させるためのギア開口２６が設けられており、リール１４はリールギアがドライブ装置の駆動ギアに噛合されてケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００１６】
この遊動規制壁２８の開口２０近傍の端部には、内部に位置規制用穴が形成された袋部２８Ａが連設されている。また、ケース１２の左前角部の内側においては、長穴である位置規制用穴が形成された袋部２８Ｂが遊動規制壁２８に連設されている。袋部２８Ａ、２８Ｂは、矢印Ｂ方向に沿った一直線上に配置されている。そして、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００１７】
また、下ケース１８の右後部には、各記録テープカートリッジ１０毎に、その各種情報を記憶されたメモリーボードＭが設置されるようになっており、下面側から読み取るドライブ装置と、後壁側から読み取るライブラリー装置（複数の記録テープカートリッジ１０を収容し、自動的にドライブ装置に着脱する装置）での検知が可能となるように、後部内壁１８Ｂが所定角度の傾斜面に形成され、メモリーボードＭが所定角度傾斜配置されるようになっている。また、下ケース１８の左後部には、その記録テープカートリッジ１０への記録可・不可が設定される図示しないライトプロテクトが設けられるようになっている。
【００１８】
また、ケース１２の前壁１２Ａの右端部には、開口２０の前縁部を規定する上下一対の短い傾斜壁部３０が設けられている（図３参照）。傾斜壁部３０は、開口２０の開放面に沿って屈曲されるとともに、前壁１２Ａよりも壁厚が厚肉化されている。そして、この傾斜壁部３０の厚み方向の中央部には、後述するドア５０の先端が入り込む凹部３０Ａが形成されている。また、傾斜壁部３０の左方近傍の前壁１２Ａ内側には、上下一対のビスボス３２が連設されている。
【００１９】
一方、ケース１２の右壁１２Ｂ（周壁１６Ａ、１８Ａのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口２０の後縁を規定しており、その前端部には上下一対のビスボス３６が設けられている。そして、この傾斜壁部３４の内面が、ドア５０が摺動する際のドア５０のガタつき防止用として機能するようになっている。
【００２０】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を切り欠いて形成され、開口２０側へも開放されている。したがって、上ケース１６におけるビスボス３６の外面は、そのスリット４０から露出するようになっている（図１参照）。
【００２１】
また、上ケース１６及び下ケース１８において、開口２０近傍から後壁の近傍まで、後述するドア５０の凸部５１を内面側及び外面側の両側方から挟み込むように支持する所定高さ（例えば、１．０ｍｍ〜１．５ｍｍ程度）のガイド壁部４２が立設されている。このガイド壁部４２は、上ケース１６と下ケース１８とではその長さが異なっており、上ケース１６側の方が下ケース１８側よりも後半側が長く形成されている。これは、下ケース１８の後部内壁１８Ｂが所定角度の傾斜面で、かつその右壁１２Ｂ側にメモリーボードＭが配設されるからである。
【００２２】
また、ガイド壁部４２の後端部は平面視略円弧状に閉塞されており、ドア５０がそれ以上後方へ移動できないように、上下それぞれ最も後側の凸部５１を規制するようになっている。ガイド壁部４２の前端部はリーダーピン２２の出入時に、そのリーダーピン２２の出入を妨げないような位置、例えば図３で示すように、後述するピン保持部２４よりも後方側で、かつ開口幅の約半分程度の位置まで延設されるとともに、上記と同様に閉塞されており、ドア５０がそれ以上前方へ移動できないように、上下それぞれ最も前側の凸部５１を規制するようになっている。そして、この状態で、ドア５０の先端が傾斜壁部３０の凹部３０Ａに入り込むように、各部の寸法が決められている。
【００２３】
また、上ケース１６内面及び下ケース１８内面には、その開口２０から露出している外側のガイド壁部４２と一体になって平面視略台形状をなすリブ３８（図３参照）が、そのガイド壁部４２と同等の高さになるように立設されており、このリブ３８によって開口２０部分における上ケース１６及び下ケース１８の強度が確保されるようになっている。
【００２４】
以上、説明した上ケース１６と下ケース１８とは、所定位置に配設されたビスボス（図示省略）と、開口２０の縁部の近傍に位置する各ビスボス３２、３６に、下側から図示しないビスがねじ込まれて固定（接合）される構成である。したがって、傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で変形したり、座屈しない構成となる。
【００２５】
次に、ピン保持部２４と係止ばね２５について説明する。ケース１２の開口２０の内側には、ケース１２内においてリーダーピン２２を位置決め、保持する上下一対のピン保持部２４が設けられている。このピン保持部２４は、図１乃至図３で示すように、磁気テープＴの引き出し側が開放された平面視略半円筒形状をしており、直立状態のリーダーピン２２の両端部は、その開放側からピン保持部２４内に出入可能になっている。なお、ピン保持部２４は、内側のガイド壁部４２と一体になるように連設されているが、ピン保持部２４の高さは、一体に連設されたガイド壁部４２の高さと略同等か、それよりも高く形成されていることが望ましい。
【００２６】
また、ピン保持部２４の近傍には、係止ばね２５が、前壁１２Ａ（周壁１６Ａ、１８Ａのうち、外面が矢印Ａ方向を向く部分）の内面に設けられたばね保持部２７に、その基部２５Ａが挿入されて固定配置されるようになっており、この係止ばね２５の二股状に分かれた作用部２５Ｃの先端（自由端）がリーダーピン２２の上下端をピン保持部２４の内側へ押圧することにより、リーダーピン２２をピン保持部２４内に保持するようになっている。そして、リーダーピン２２がピン保持部２４内を出入する際には、その係止ばね２５の作用部２５Ｃが適宜弾性変形して、リーダーピン２２の移動を許容する構成になっている。
【００２７】
また、ピン保持部２４が設置されるエリアは、その板厚が上ケース１６及び下ケース１８とも比較的厚肉（例えば、２ｍｍ）となっている。これは、記録テープカートリッジ１０の機能上で最も重要な（記録テープを引き出す際に引出手段に正しく係止されるべき）リーダーピン２２の保持（位置決め）位置であるピン保持部２４付近の強度を上げ、ケース１２（記録テープカートリッジ１０）の落下等による衝撃でリーダーピン２２の位置ずれが生じないようにするためである。なお、図３で示すように、ピン保持部２４の設置位置を、ビスボス３２に近接した位置にすると、ケース１２の落下等に伴う天板及び底板の振動によるリーダーピン２２の位置ずれをより一層防止することができる。
【００２８】
また、係止ばね２５は、樹脂で成形するか、金属（ＳＵＳ３０４が好ましい）板を屈曲成形した板ばね状であり、その厚みは０．２５ｍｍとされるのが好ましい。そして、その係止ばね２５は、図３で示すように、ばね保持部２７に保持される基部２５Ａと、その基部２５Ａから約９０°屈曲されて延設された中央部２５Ｂと、その中央部２５Ｂから更に約９０°屈曲されて基部２５Ａと平行に延設された二股状の作用部２５Ｃとを有しており、作用部２５Ｃの先端（自由端）は、リーダーピン２２の上下端に当接する面が平面視略円弧状もしくは図５（Ａ）で示すような平面視略「Ｖ」字状になるように成形されている。
【００２９】
また、上ケース１６及び下ケース１８には、その中央部２５Ｂと作用部２５Ｃの屈曲部分（略境界部分）に、ケース内方側で、かつ中央部２５Ｂ側及び作用部２５Ｃ側からそれぞれ挟むように当接する２つの円柱状支持突起４６Ａ、４６Ｂと、作用部２５Ｃの適宜位置に、ケース外方側（前壁１２Ａ側）から当接する円柱状支点突起４８が、それぞれ所定高さ突設されている。
【００３０】
通常、支持突起４６Ａ、４６Ｂは、無くてもよいが、図示の係止ばね２５のように、上記屈曲部分（略境界部分）が平面視略「Ｌ」字状に屈曲している場合は設けた方が好ましい。また、この場合、支持突起４６Ａ、４６Ｂは、中央部２５Ｂに当接してその撓みを押さえる支持突起４６Ａと、作用部２５Ｃに当接してその撓みを押さえる支持突起４６Ｂの何れか一方だけ突設されていればよいが、両方突設されていた方が好ましい。すなわち、このような支持突起４６Ａ、４６Ｂで、それぞれ中央部２５Ｂ及び作用部２５Ｃの撓みを押さえると、後述する支点突起４８、１３Ａ、２３Ａによる作用部２５Ｃへの押圧力制御を確実に行うことができる。
【００３１】
なお、支持突起４６Ａは、中央部２５Ｂのストレート部に沿って配設されていればよく、撓みを防止するためには、できるだけケース内方側（図３の正面視で下側）に配設されるのが好ましい。また、支持突起４６Ｂは、作用部２５Ｃのストレート部に沿って配設されていればよいが、支点突起４８の自由度確保のためには、できるだけ上記屈曲部分（略境界部分）側（図３の正面視で左側）に配設されるのが好ましい。何れにしても、支持突起４６Ａ、４６Ｂは、その直径が０．７ｍｍ程度に形成されるのが好ましい。
【００３２】
一方、支点突起４８は、直径が０．５ｍｍ〜１．５ｍｍ、好ましくは１．０ｍｍ程度に形成されている。この支点突起４８を設けたことにより、リーダーピン２２がピン保持部２４へ出入するときには、係止ばね２５の作用部２５Ｃは、支点突起４８を支点に前壁１２Ａ側（ケース外方側）へ回動（弾性変形）して、リーダーピン２２の移動を許容する。つまり、係止ばね２５は、従来のように作用部２５Ｃ全体が弾性変形するのではなく、支点突起４８から作用部２５Ｃの先端（リーダーピン２２の上下端に当接する自由端）までの部分が弾性変形することにより、リーダーピン２２の移動を許容する。したがって、使用頻度による係止ばね２５のばね疲労を極力抑えることができ、常時好適な押圧力（弾力）でリーダーピン２２を押さえることが可能となる。
【００３３】
なお、支点突起４８の高さは、二股状に分かれた作用部２５Ｃの高さの０．５倍〜１．５倍であればよいが、図４で示すように、作用部２５Ｃの高さ以上であることが望ましく、例えば、作用部２５Ｃの高さＨ１が、Ｈ１＝１．０ｍｍの場合、支点突起４８の高さＨ２は、Ｈ２＝１．２ｍｍ程度に形成されるのが好ましい。支点突起４８の高さが低すぎる（作用部２５Ｃの高さの０．５倍未満である）と、作用部２５Ｃが弾性変形したときに、支点突起４８の（作用部２５Ｃに当接する）上縁部を支点にして、その作用部２５Ｃが捩れるおそれがあるので、上記範囲とすることが望ましい。また、支点突起４８の頂部に、係止ばね２５（作用部２５Ｃ）をケース１２内に嵌め込むときの誘い込み用となるテーパー面（図示省略）を形成してもよい。
【００３４】
また、係止ばね２５をケース１２内に嵌め込むときには、強度のある基部２５Ａで最初に位置決めしないと、作用部２５Ｃを損傷する可能性があるため、基部２５Ａを保持するばね保持部２７の高さを、支点突起４８の高さよりも高くした方が好ましい。なお、支持突起４６Ａ、４６Ｂの高さは、作用部２５Ｃ側の支持突起４６Ｂは、支点突起４８と同等の高さに形成するのが好ましいが、中央部２５Ｂ側の支持突起４６Ａはそれより高くても構わない。
【００３５】
また、図５（Ｂ）で示すように、支持突起４６Ａ、４６Ｂではなく、上記屈曲部分（略境界部分）の形状に沿った平面視略「Ｌ」字状の支持リブ４７を突設してもよい。この支持リブ４７は、その高さが支持突起４６Ｂと同一に形成されるのが好ましい。また、この支持リブ４７は、平面視略「Ｌ」字状に形成されることから、充分に剛性を確保できるので、その厚さは、支持突起４６Ａ、４６Ｂの直径より小さくて構わないが、その直径と略同一に形成されるのが好ましい。
【００３６】
また、作用部２５Ｃに当接する支点突起４８の位置を適宜変更することにより、リーダーピン２２の上下端を押圧する先端（自由端）部分の押圧力（弾力）を適宜調整する（制御する）ことができる。すなわち、作用部２５Ｃのリーダーピン２２に対する押圧力（弾力）は、例えば図６（Ａ）で示すように、作用部２５Ｃの先端（自由端）であるリーダーピン２２の当接点２５Ｄと、支持突起４６Ｂの中心との略中間（真中）に配設する支点突起４８の位置を基準位置とすれば、図６（Ｂ）で示す位置（基準位置と支持突起４６Ｂの略中間）では基準位置よりも押圧力が弱くなり（弾性変形しやすくなり）、図６（Ｃ）で示す位置（基準位置と当接点２５Ｄの略中間）では基準位置よりも押圧力が強くなる（弾性変形しにくくなる）。
【００３７】
したがって、少なくとも図６の仮想線Ｋで示す領域部分を射出成形用金型（図示省略）に対して交換可能に着脱できる入子とし、支点突起４８の位置がそれぞれ異なる入子を予め作製しておけば、成形段階において、支点突起４８の位置が調整されたケース１２（上ケース１６及び下ケース１８）を簡単に製造することができる。なお、支点突起４８の突設位置、即ち係止ばね２５の調節可能範囲は、通常、基準位置から左右へ、支持突起４６Ｂと当接点２５Ｄとの距離（５．０ｍｍ〜１５．０ｍｍが好ましい）の１／４ずつ、つまり、基準位置から支持突起４６Ｂまでの距離の１／２、基準位置から当接点２５Ｄまでの距離の１／２が好ましい（図６（Ｂ）、図６（Ｃ）参照）。
【００３８】
また、図７で示すように、入子４４に複数（図示のものは２つ）の穴部４４Ａ、４４Ｂを穿設し、その入子４４の向きを適宜変更して射出成形用金型４３に装着可能としてもよい。この場合は、１つの入子４４で複数パターンの支点突起４８、即ち支点突起４８の位置が異なるケース１２を複数製造することができる。ちなみに、図示の入子４４の場合、支点突起４８の位置が異なるケース１２を、表裏反転で２パターン、左右反転で２パターン製造できる。更に具体的に言えば、表面（穴部４４Ａが穿設されている面）で図６（Ａ）で示す支点突起４８を製造でき、裏面（穴部４４Ｂが穿設されている面）で図６（Ｂ）で示す支点突起４８を製造でき、この状態で左右反転することにより図６（Ｃ）で示す支点突起４８を製造できる。
【００３９】
何れにしても、ケース１２（上ケース１６及び下ケース１８）側に突設する支点突起４８の位置を適宜変更することにより、係止ばね２５のリーダーピン２２に対する押圧力（弾力）を調整することができるので、常時所望とする押圧力でリーダーピン２２を押さえることが可能となり、係止ばね２５自体の弾力を調整して保持する構成に比べ、より安定して保持することができるようになる。
【００４０】
なお、入子４４を交換するだけで支点突起４８の位置変更（係止ばね２５の弾力の調整）ができるので、コスト的にも安価で済むという利点がある。また、支持突起４６Ａ、４６Ｂ及び支点突起４８を設けることにより、上ケース１６及び下ケース１８には、係止ばね２５を支持する溝等を設ける必要がなくなるので、上ケース１６及び下ケース１８の剛性を損なわずに済むという利点もある。また、支持突起４６Ａ、４６Ｂの突設位置及び支点突起４８の突設領域は、係止ばね２５等の形状が変更されれば、それに合わせて適宜設計変更されることは言うまでもない。
【００４１】
また、図８で示すように、支点突起４８ではなく、係止ばね２５に沿って、かつ前壁１２Ａから一体的に張り出すように規制壁１３を形成し、その規制壁１３に、作用部２５Ｃの適宜位置にケース外方側（前壁１２Ａ側）から当接する平面視略円弧状の支点突起１３Ａを形成してもよい。この場合、規制壁１３の高さは作用部２５Ｃの高さ以下にすることが望ましい。例えば、作用部２５Ｃの高さＨ１がＨ１＝１．０ｍｍの場合、規制壁１３の高さＨ３はＨ３＝０．５ｍｍ〜１．０ｍｍ、好ましくはＨ３＝０．９ｍｍに形成される。これは、作用部２５Ｃに沿って壁面が形成されるので、支点突起４８に比べ、作用部２５Ｃの捩れを好適に抑制できるからである。
【００４２】
また、そのとき、図９で示すように、支持突起４６Ａ、４６Ｂや支持リブ４７ではなく、規制壁１３と平行な支持壁４９を係止ばね２５に沿って立設するようにしてもよい。なお、支持壁４９の高さは規制壁１３の高さと同等であることが好ましい。また、このとき、係止ばね２５は、規制壁１３と支持壁４９とに挟まれた状態で保持されるので、ばね保持部２７を設けなくてもよい。その他、規制壁１３は、図８、図９で示すように、前壁１２Ａから一体的に張り出すように形成してもよいし、支持壁４９のように前壁１２Ａから独立させて上ケース１６の内面及び下ケース１８の内面に立設してもよい。
【００４３】
更に、図１０で示すように、上ケース１６及び下ケース１８に係止ばね２５が遊挿される規制溝２３を形成し、その規制溝２３内のケース外方側（前壁１２Ａ側）に支点突起２３Ａを形成するようにしてもよい。この場合、支点突起２３Ａの高さ、即ち規制溝２３の深さは作用部２５Ｃの高さ以下にすることが望ましい。例えば、作用部２５Ｃの高さＨ１がＨ１＝１．０ｍｍの場合、規制溝２３の深さＨ４はＨ４＝０．５ｍｍ〜１．０ｍｍ、好ましくはＨ４＝０．９ｍｍに形成される。これは、上記と同様に、作用部２５Ｃに沿って壁面が形成されるので、支点突起４８に比べ、作用部２５Ｃの捩れを好適に抑制できるからである。
【００４４】
次に、ドア５０について説明する。図１乃至図３で示すように、開口２０は、遮蔽部材としてのドア５０によって開閉されるようになっている。ドア５０は、少なくとも開口２０を閉塞する部分の板幅（高さ）が開口２０の開口高さと略同一に形成され、その板長は開口２０の開口２０幅よりも充分大きく形成されている。そして、所定の円周に沿って移動できるように、板厚方向に湾曲した平面視略円弧状に形成されている。
【００４５】
ドア５０は、その先端部が傾斜壁部３０の凹部３０Ａに入り込んだ状態で開口２０を閉塞し、上記した所定の円周に沿って略後方へスライド移動（回動）して開口２０を開放し、その先端近傍の外周面がビスボス３６近傍に達すると、開口２０を完全に開放する構成になっている。そして、開口２０を開放する際と反対方向にスライド移動（回動）することにより、開口２０を閉塞するようになっている。なお、ドア５０の後下部は、下ケース１８の後部内壁１８Ｂの傾斜面に配設されたメモリーボードＭを回避するために、斜めに切り欠かれている。
【００４６】
また、ドア５０の上面及び下面には、ガイド壁部４２のガイド面（互いに対向している内側の面）と、ガイド壁部４２間の上ケース１６内面及び下ケース１８内面にそれぞれ当接して、ドア５０を開口２０の開閉方向に案内する凸部５１が突設されている。この凸部５１は、ガイド壁部４２のガイド面並びにガイド壁部４２間の上ケース１６内面及び下ケース１８内面と、ドア５０との摺動抵抗（摩擦）を低減するためのものであり、ドア５０の長手方向に沿って長い平面視略楕円形状に形成され、上面及び下面にそれぞれ４つずつ、最も後側の凸部５１を除いて上下対称に、かつ、ガイド壁部４２の高さと略同等の高さに突設されている。なお、最後側の凸部５１が上下対称でないのは、ドア５０の後下部が斜めに切り欠かれていることによる。
【００４７】
また、この凸部５１の両側面には平面視略円弧状等の突起５１Ａが突設されており、凸部５１がガイド壁部４２間に挿入されて摺動する際には、その凸部５１の先端が上ケース１６内面及び下ケース１８内面に接触し、突起５１Ａの先端がガイド壁部４２の互いに対向しているガイド面に接触するので、摺動抵抗（摩擦）が低減され、ドア５０を抵抗少なく、スムーズに摺動させることができる。また、凸部５１が平面視略楕円形状に形成されていると耐衝撃性に優れ、落下等の衝撃により、ドア５０に開閉方向以外から力が加えられても、その凸部５１が折れるような心配はない。
【００４８】
また、ドア５０の長手方向中央部よりも若干前方における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。そして、開口２０の開放状態では、操作突起５２は、スリット４０の後縁から僅かに離間して位置するようになっている。
【００４９】
なお、このとき、ガイド壁部４２の後端部に最後端側の凸部５１が当接しており、この状態で、操作突起５２の長手方向がケース１２の右壁１２Ｂ（矢印Ａ方向）と略直交するようにも各部の寸法が決められている。そして、この操作突起５２露出用のスリット４０によってケース１２の内外が連通されるが、このスリット４０はビスボス３６と、ケース１２内の略全高に亘るドア５０とによって常時ほぼ閉塞され、かつ、内壁としての遊動規制壁２８によって、リール１４に巻装された磁気テープＴへの塵埃等の付着が防止されるようになっている。
【００５０】
また、ドア５０の後端近傍の内周部には、ばね保持部５４が突設されている。このばね保持部５４には、コイルばね５６の一端部が係止保持されており、その他端部がケース１２内に設けられたばね係止部５５に係止されている。これにより、ドア５０は、コイルばね５６の付勢力によって開口２０の閉塞方向に常時付勢され、通常開口２０を閉塞する構成である。また、ドア５０の前端部内面には、開口２０閉塞時において、リーダーピン２２の上端部側面及び下端部側面に当接するストッパー５８が突設されており、落下衝撃等によってリーダーピン２２がピン保持部２４から脱落するのを、より一層防止できるようになっている。
【００５１】
以上のような記録テープカートリッジ１０において、次に、その作用を簡単に説明する。上記構成の記録テープカートリッジ１０では、不使用時（保管時や運搬時等）には、開口２０がドア５０によって閉塞されている。具体的には、ドア５０は、コイルばね５６の付勢力によって、その先端部（前端部）が傾斜壁部３０の凹部３０Ａに入り込むとともに、中間部外周面が傾斜壁部３４の内面に略接して開口２０を閉塞している。
【００５２】
一方、磁気テープＴを使用する際には、記録テープカートリッジ１０を矢印Ａ方向に沿ってドライブ装置へ装填する。この装填に伴って、ドライブ装置に設けられた開閉部材（図示省略）が、前方へ開放しているスリット４０に進入し、ドア５０の操作突起５２に係合する。この状態で、記録テープカートリッジ１０（ケース１２）を更に押し込むと、その押し込み力によってコイルばね５６の付勢力に抗しつつ、開閉部材が操作突起５２を後方へ移動させる（矢印Ａ方向へ装填されるケース１２に対して後方へ相対移動させる）。
【００５３】
すると、その操作突起５２が突設されているドア５０は、凸部５１がガイド壁部４２によって案内されつつ、その湾曲方向に沿って平面視時計方向に回動する。すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。そして、ケース１２（記録テープカートリッジ１０）がドライブ装置に所定深さ装填されると、開口２０が完全に開放される。
【００５４】
この状態で記録テープカートリッジ１０がドライブ装置内で位置決めされると、ドア５０はそれ以上の回動（略後方への移動）が規制され、開放された開口２０からはドライブ装置の引出手段がケース１２内に進入し、この引出手段がピン保持部２４に位置決め保持されたリーダーピン２２を抜き出す。このとき、係止ばね２５の作用部２５Ｃは、支点突起４８によって回動が規制されつつ弾性変形して、リーダーピン２２の移動を許容する。
【００５５】
こうして、ピン保持部２４から取り出されたリーダーピン２２は、ドライブ装置側の巻取リール（図示省略）に収容され、その巻取リールとリール１４とが同期して回転駆動されることにより、磁気テープＴが巻取リールに巻き取られつつ順次ケース１２から引き出される。そして、所定のテープ経路に沿って配設された記録再生ヘッド等によって情報の記録や再生が行われる。
【００５６】
一方、磁気テープＴがリール１４に巻き戻されて、記録テープカートリッジ１０をドライブ装置から排出する際には、リーダーピン２２が、ピン保持部２４に戻される。このとき、係止ばね２５の作用部２５Ｃは、リーダーピン２２のピン保持部２４への進入に伴って弾性変形するが、その回動は支点突起４８によって好適に規制される。こうして、リーダーピン２２は、係止ばね２５の作用部２５Ｃにより所定の押圧力で押さえられ、ピン保持部２４に安定して保持される。
【００５７】
その後、記録テープカートリッジ１０は、位置決め状態が解除され、コイルばね５６の付勢力又は図示しないイジェクト機構によって矢印Ａ方向とは反対方向に移動される。そして、ドア５０は、その凸部５１がガイド壁部４２に案内されつつ、コイルばね５６の付勢力によって開口２０の閉塞方向へ回動し、その先端部が傾斜壁部３０の凹部３０Ａに入り込むことにより、開口２０が完全に閉塞される。
【００５８】
なお、図示の開口２０は、ケース１２の右前角部が斜めに切り欠かれて形成され、その開放面が矢印Ａ方向及び矢印Ｂ方向に向いているため、ドライブ装置の引出手段は、矢印Ａ方向、矢印Ｂ方向、あるいは矢印Ａ方向と矢印Ｂ方向との間からアクセスしてリーダーピン２２をチャックできる。よって、ドライブ装置側の設計の自由度を広げることができて好ましい。また、本発明に係る係止ばね２５のリーダーピン２２に対する押圧力（弾力）を調整する支点突起４８、１３Ａ、２３Ａは、図１１で示した従来の記録テープカートリッジにおいても、同様に適用できることは言うまでもない。
【００５９】
【発明の効果】
以上、本発明によれば、係止ばねは、基部と自由端との間のケースに配設された支点突起により、リーダーピンを押さえる弾力が調整される。したがって、係止ばね自体でその弾力を調整するのに比べ、常に、より安定した状態でリーダーピンを保持することができる。
【図面の簡単な説明】
【図１】記録テープカートリッジの概略斜視図
【図２】記録テープカートリッジの概略分解斜視図
【図３】下ケースの要部を示す概略平面図
【図４】図３のＸ−Ｘ線矢視図
【図５】（Ａ）先端部の形状が異なる係止ばねを備えた下ケースの要部を示す概略平面図（Ｂ）係止ばねを支持リブで支持した下ケースの要部を示す概略平面図
【図６】（Ａ）支点突起が基準位置にある下ケースの要部を示す概略平面図
（Ｂ）支点突起が基準位置から左にずれた下ケースの要部を示す概略平面図
（Ｃ）支点突起が基準位置から右にずれた下ケースの要部を示す概略平面図
【図７】（Ａ）入子の概略斜視図
（Ｂ）入子の概略断面図
（Ｃ）入子を射出成形用金型に嵌め込んだ様子を示す概略断面図
【図８】（Ａ）規制壁に突設された支点突起を示す概略平面図
（Ｂ）規制壁に突設された支点突起を示す概略側面図
【図９】（Ａ）規制壁に突設された支点突起と支持壁を示す概略平面図
（Ｂ）規制壁に突設された支点突起と支持壁を示す一部破断概略側面図
【図１０】（Ａ）規制溝に突設された支点突起を示す概略平面図
（Ｂ）規制溝に突設された支点突起を示す一部破断概略側面図
【図１１】従来の記録テープカートリッジの概略分解斜視図
【符号の説明】
１０　記録テープカートリッジ
１２　ケース
１４　リール
１６　上ケース
１８　下ケース
２０　開口
２２　リーダーピン
２４　ピン保持部
２５　係止ばね
２７　ばね保持部
４６Ａ、４６Ｂ　支持突起
４８　支点突起
【図１】
2004047057.tif 000003
【図２】
2004047057.tif 000004
【図３】
2004047057.tif 000005
【図４】
2004047057.tif 000006
【図５】
2004047057.tif 000007
【図６】
2004047057.tif 000008
【図７】
2004047057.tif 000009
【図８】
2004047057.tif 000010
【図９】
2004047057.tif 000011
【図１０】
2004047057.tif 000012
【図１１】
2004047057.tif 000013